(57)【要約】【課題】柱状物品を確実に衝撃から保護でき、梱包作業が煩雑化することもない緩衝材を提供する。【解決手段】物品を梱包に際して緩衝保持する緩衝材１において、基板２の両側に起立板３を介して挟持脚４を連設し、基板２と起立板３の境界に谷折線１０を入れると共に、起立板３と挟持脚４の境界に山折線１１を入れ、基板２から両側の起立板３を谷折線１０に沿って起立させ、両側の起立板３から挟持脚４を山折線１１に沿って折り返し、起立板３の外側に挟持脚４を重ねて固定し、谷折線１０の反発により、両側の挟持脚４を先端側が相互に接近する方向へ付勢する。物品を他の緩衝材２０で受け止めた状態で、物品に被せるように嵌め、緩衝材２０を両側の挟持脚４で挟み込むようにする。【選択図】図６
2016078929.tif 000002
【特許請求の範囲】
【請求項１】
物品を梱包に際して緩衝保持する緩衝材(1)において、基板(2)の両側に起立板(3)を介して挟持脚(4)を連設し、基板(2)と起立板(3)の境界に谷折線(10)を入れると共に、起立板(3)と挟持脚(4)の境界に山折線(11)を入れ、基板(2)から両側の起立板(3)を谷折線(10)に沿って起立させ、両側の起立板(3)から挟持脚(4)を山折線(11)に沿って折り返し、起立板(3)の外側に挟持脚(4)を重ねて固定し、基板(2)と起立板(3)の境界の谷折線(10)の反発により、両側の挟持脚(4)を先端側が相互に接近する方向へ付勢した緩衝材。
【請求項２】
請求項１に記載の緩衝材(1)において、前記挟持脚(4)を切り込んで物品の嵌合凹所(7)を形成したことを特徴とする緩衝材。
【請求項３】
請求項２に記載の緩衝材(1)において、前記挟持脚(4)の嵌合凹所(7)に臨む端縁から係止片(8)を延出し、基板(2)に係止穴(9)を設け、係止片(8)を折り曲げ、起立板(3)を抱き込みつつ係止穴(9)に押し込んで、起立板(3)と挟持脚(4)とを固定したことを特徴とする緩衝材。
【請求項４】
請求項１乃至３のいずれか１項に記載の緩衝材(1)において、前記基板(2)と両側の起立板(3)の境界の谷折線(10)を、中央部から両端方向へかけて間隔が狭くなるように、斜め方向に入れたことを特徴とする緩衝材。
【請求項５】
請求項１乃至４のいずれか１項に記載の緩衝材(1)において、前記挟持脚(4)は、起立板(3)に順次連なる内脚板(5)及び外脚板(6)から成り、内脚板(5)と外脚板(6)の境界に谷折線(12)を入れたものとし、起立板(3)の外側に、内脚板(5)及び外脚板(6)を谷折線(12)での折り曲げに伴い順次重ねて固定したことを特徴とする緩衝材。
【発明の詳細な説明】
【技術分野】
【０００１】
この発明は、長尺の柱状物品等の梱包に適した段ボール等のシート材を材料とする緩衝材に関するものである。
【背景技術】
【０００２】
例えば、長尺の柱状物品を運搬のため梱包する際、柱状物品を包装紙やプラスチックフィルムで包むだけでは、輸送中の衝撃により柱状物品が損傷することがあるため、下記特許文献１に記載された図８に示すような段ボール製の緩衝材５０と、下記特許文献２に記載された図９に示すような段ボール製の緩衝材６０とを使用して、柱状物品を保護することが考えられる。
【０００３】
図８に示す緩衝材５０は、長方形の基板５１の長さ方向における両端部及び中央部に、段ボールを重ね合わせた枕体５２，５３をそれぞれ設け、枕体５２，５３にＵ字状の切込により嵌合凹所５４を形成したものとされている。
【０００４】
図９に示す緩衝材６０は、基板６１及び一対の側板６２を三角筒状に連設し、一対の側板６２をその稜部からＵ字状に切り込んで嵌合凹所６３を形成し、基板６１に折り畳み用の山折線６１ａを入れたものとされている。
【０００５】
これらの緩衝材５０，６０を使用した梱包に際しては、柱状物品を緩衝材５０の嵌合凹所５４に下方から嵌め込み、枕体５２，５３により支持した状態で、柱状物品に上方から緩衝材６０を被せるように、緩衝材６０の嵌合凹所６３に柱状物品を嵌め込んで、図示しない外箱に収納し、外箱の蓋を閉じる。
【０００６】
このような梱包においては、柱状物品を、底側の緩衝材５０により外箱内で水平方向へ移動しないように受け止め、天側の緩衝材６０により、底側の緩衝材５０の嵌合凹所５４から飛び上がって逸脱しないように押さえることを意図しており、天側の緩衝材６０は、柱状物品に被せるように嵌めるだけの簡易な緩衝としている。
【先行技術文献】
【特許文献】
【０００７】
【特許文献１】特開平１１−２９１３６号公報
【特許文献２】実開平５−９２１７４号公報
【発明の概要】
【発明が解決しようとする課題】
【０００８】
しかしながら、上記のような緩衝材５０，６０による梱包では、天側の緩衝材６０が柱状物品の長さ方向に移動したり、周方向に回転したりすることがあり、天側の緩衝材６０の位置や姿勢が定まらず、柱状物品の確実な緩衝保持ができない恐れがある。
【０００９】
そこで、この発明は、柱状物品を確実に衝撃から保護でき、梱包作業が煩雑化することもない緩衝材を提供することを課題とする。
【課題を解決するための手段】
【００１０】
上記のような課題を解決するため、この発明は、物品梱包に際して緩衝保持する緩衝材において、基板の両側に起立板を介して挟持脚を連設し、基板と起立板の境界に谷折線を入れると共に、起立板と挟持脚の境界に山折線を入れ、基板から両側の起立板を谷折線に沿って起立させ、両側の起立板から挟持脚を山折線に沿って折り返し、起立板の外側に挟持脚を重ねて固定し、基板と起立板の境界の谷折線の反発により、両側の挟持脚を先端側が相互に接近する方向へ付勢し、物品を支持する他の緩衝材を両側の挟持脚で挟み込むことにより、物品を容易に所定の位置に緩衝保持して梱包できるようにしたのである。
【００１１】
また、前記挟持脚を切り込んで物品の嵌合凹所を形成し、この嵌合凹所に物品を嵌め込んで、物品の移動を規制するようにしたのである。
【００１２】
また、前記挟持脚の嵌合凹所に臨む端縁から係止片を延出し、基板に係止穴を設け、係止片を折り曲げ、起立板を抱き込みつつ係止穴に押し込んで、起立板と挟持脚とを固定することにより、接着剤を用いることなく組み立てられるようにしたのである。
【００１３】
また、前記基板と両側の起立板の境界の谷折線を、中央部から両端方向へかけて間隔が狭くなるように、斜め方向に入れることにより、この谷折線の反発を強めて、挟持脚による挟持力を強化したのである。
【００１４】
さらに、前記挟持脚は、起立板に順次連なる内脚板及び外脚板から成り、内脚板と外脚板の境界に谷折線を入れたものとし、起立板の外側に、内脚板及び外脚板を谷折線での折り曲げに伴い順次重ねて固定することにより、挟持脚の剛性を高めたのである。
【発明の効果】
【００１５】
この発明に係る緩衝材では、両側の挟持脚を先端側が相互に接近する方向へ付勢したことから、物品を他の緩衝材で支持した状態で、物品に被せるように嵌め、他の緩衝材を両側の挟持脚で挟み込むことにより、物品を容易かつ確実に緩衝保持して梱包できる。
【００１６】
また、この緩衝材と他の緩衝材を複数組使用することにより、長尺の柱状物品にも対応することができる。
【図面の簡単な説明】
【００１７】
【図１】この発明の実施形態に係る天側の緩衝材とこれに組み合わせる底側の緩衝材のブランクを示す図
【図２】同上の天側の緩衝材の組立過程を示す斜視図
【図３】同上の底側の緩衝材の組立過程を示す斜視図
【図４】同上の天側の緩衝材と底側の緩衝材の組立状態を示す斜視図
【図５】同上の複数組の緩衝材による柱状物品の保持状態を示す斜視図
【図６】同上の天側の緩衝材による底側の緩衝材の挟持状態を示す斜視図
【図７】同上の挟込過程を示す一部切欠側面図
【図８】特許文献１に記載の緩衝材を示す斜視図
【図９】特許文献２に記載の緩衝材を示す斜視図
【発明を実施するための形態】
【００１８】
以下、この発明の実施形態を添付図面に基づいて説明する。
【００１９】
図１は、この発明に係る天側の緩衝材１と、これに組み合わせる底側の緩衝材２０のブランクを示す。緩衝材１，２０は、段ボールを材料として形成される。
【００２０】
緩衝材１のブランクでは、基板２の両側に起立板３を介して挟持脚４が連設され、段ボールの段目方向は、これらの連設方向へ向けられている。また、挟持脚４は、起立板３から順次連なる内脚板５及び外脚板６により構成され、挟持脚４には、内脚板５及び外脚板６に亘る長円形状の切り欠きにより、嵌合凹所７が形成されている。
【００２１】
外脚板６の嵌合凹所７に臨む円弧縁の頂部には、先端側の幅が広くなったテーパー状の係止片８が延設され、係止片８の基部には、２本の折目線８ａが入れられている。内脚板５の嵌合凹所７に臨む円弧縁の頂部には、係合凹部７ａが形成されている。基板２の中央部には係止穴９が設けられ、係止穴９は、起立板３にも若干切れ込んでいる。
【００２２】
基板２と起立板３の境界には、谷折線１０が入れられ、起立板３と内脚板５の境界には山折線１１が入れられている。また、内脚板５と外脚板６の境界には、谷折線１２が入れられている。
【００２３】
谷折線１０は、組立状態での折り曲げの反発を強めるため、中央部から両端方向へかけて間隔が狭くなるように、斜め方向に入れられ、また、折曲位置を正確に誘導するため、切目と押罫とが交互に断続するリード罫とされている。山折線１１は、１８０°の折曲時の抵抗を軽減するため、段ボールを厚さ方向の途中まで切り込んだ半切線とされ、谷折線１２は、通常の押罫とされている。
【００２４】
一方、緩衝材２０のブランクでは、底板２１の一側に中支持板２２，２３が交互に３対順次連設されると共に、その先端に中支持板２４が連設され、底板２１の他側に外支持板２５、連結板２６及び外支持板２７が順次連設されている。段ボールの段目方向は、これらの連設方向へ向けられている。
【００２５】
各対の中支持板２２，２３には、これらに亘る短円形状の切り欠きにより、嵌合凹所２８が形成され、中支持板２４には、先端側が開放された半円状の切り欠きにより、嵌合凹所２８が形成されている。外支持板２５、連結板２６及び外支持板２７には、これらに亘る長円形状の切り欠きにより、嵌合凹所２８が形成されている。
【００２６】
中支持板２４の嵌合凹所２８に臨む円弧縁の頂部には、差込凹部２８ａが形成され、差込凹部２８ａは、隣接する中支持板２３に若干切れ込んでいる。
【００２７】
外支持板２７の先端縁中央部には、帯状の係止片２９が延設され、係止片２９の中央部には折目線２９ａが幅方向に入れられている。底板２１の中央部には係止穴３０が設けられ、係止穴３０は、隣接する中支持板２２に若干切れ込んでいる。
【００２８】
底板２１と中支持板２２及び外支持板２５の境界には、山折線３１が入れられ、中支持板２２，２３の各対の中央部には山折線３２が、隣接する対の境界には、谷折線３３がそれぞれ入れられている。また、中支持板２３，２４の境界にも谷折線３３が入れられている。連結板２６と外支持板２５，２７の境界には、山折線３４が入れられている。
【００２９】
山折線３１は、折曲位置を正確に誘導するため、切目と押罫とが交互に断続するリード罫とされ、山折線３２，３４は、通常の押罫とされ、谷折線３３は、１８０°の折曲時の抵抗を軽減するため、段ボールを厚さ方向の途中まで切り込んだ半切線とされている。
【００３０】
上記のような緩衝材１のブランクを組み立てるには、図２に示すように、基板２から両側の起立板３を谷折線１０に沿って起立させ、両側の起立板３から挟持脚４の内脚板５を山折線１１に沿って下方へ折り返し、外脚板６を谷折線１２に沿って上方へ折り返して、起立板３の外側に、内脚板５及び外脚板６を順次重ね合わせる。
【００３１】
そして、図４の上方に示すように、係止片８を折目線８ａに沿って折り曲げ、その基部を係合凹部７ａに係合させ、内脚板５及び起立板３を抱き込みつつ、係止片８を係止穴９に押し込むと、係止片８の基部が係合凹部７ａに係合すると共に、係止片８の先端部が係止穴９から抜け止めされ、起立板３、内脚板５及び外脚板６が密着して重なり合った状態で固定される。この組立状態において、両側の挟持脚４は、谷折線１０の反発により、先端側が相互に接近する方向へ付勢され、両側の挟持脚４の先端部同士が当接している。
【００３２】
一方、緩衝材２０のブランクを組み立てるには、図３に示すように、底板２１の一側に順次連なる各組の中支持板２２，２３及び中支持板２４を山折線３２及び谷折線３３に沿って蛇腹状に折り曲げて重ね合わせ、底板２１の一側の山折線３１に沿って起立させた状態で底板２１の上面に載置する。
【００３３】
そして、図４の下方に示すように、底板２１の他側から外支持板２５、連結板２６及び外支持板２７を、中支持板２２，２３及び中支持板２４を包み込むように山折線３１，３４に沿って折り曲げ、係止片２９を折目線２９ａに沿って折り曲げつつ、係止穴３０に係合させ、係止片２９の先端部を差込凹部２８ａに差し込む。この組立状態において、係止片２９が係止穴３０に嵌まり込み、緩衝材２０の底面は平坦となる。
【００３４】
上記のように組み立てた緩衝材１，２０を使用して、図５に示すように、長尺の柱状物品Ｐを梱包のため保持する際には、緩衝材１を天側とし、緩衝材２０を底側として組み合わせ、柱状物品Ｐの長さ方向に間隔をあけて、これらを複数組配置する。
【００３５】
緩衝材１，２０の組み合わせに際しては、図６に示すように、柱状物品Ｐを緩衝材２０の嵌合凹所２８に下方から嵌め込み、緩衝材２０により支持した状態で、柱状物品Ｐに上方から緩衝材１を被せるようにして、緩衝材１の嵌合凹所７に柱状物品Ｐを嵌め込む。
【００３６】
このとき、図７に示すように、緩衝材１の両側の挟持脚４の起立板３が重なる部分を握り、両側の挟持脚４を下方となった先端側の間隔が広がるように揺動させた状態で、両側の挟持脚４の先端部の内側に緩衝材２０の上部を挿入し、緩衝材１の握りを離すと、両側の挟持脚４の先端部で外支持板２５，２７の上部が挟み込まれる。
【００３７】
このように、上記緩衝材１では、両側の挟持脚４を先端側が相互に接近する方向へ付勢したことから、柱状物品Ｐを底側の緩衝材２０で受け止めた状態で、上方から柱状物品Ｐに被せるように嵌め、緩衝材２０を両側の挟持脚４で挟み込むことにより、柱状物品Ｐを容易かつ確実に緩衝保持して梱包できる。
【００３８】
また、緩衝材１，２０の組数を増やすことにより、バレーボール用のネット支柱のような非常に長い柱状物品Ｐの梱包にも使用することができる。
【００３９】
また、偏平なブランクの状態で保管しておき、使用に際して、係止片８を係止穴９に押し込むことにより、接着剤を用いることなく組み立てることができる。
【００４０】
また、基板２と両側の起立板３の境界の谷折線１０を、中央部から両端方向へかけて間隔が狭くなるように斜め方向に入れ、谷折線１０の反発を強めて、挟持脚４による挟持力を強化しているので、底側の緩衝材２０を確実に挟持でき、輸送中における緩衝材２０からの脱落が防止される。
【００４１】
さらに、挟持脚４を、内脚板５と外脚板６とを重ね合わせた構成としているため、挟持脚４の剛性が高められ、挟持脚４が途中で折れ曲がって緩衝材２０に対する挟持力が失われるような事態が防止される。
【００４２】
ところで、上記実施形態では、円柱状の柱状物品Ｐの梱包に使用するものについて例示したが、このような構成の緩衝材１は、球状の物品の梱包にも使用することができ、緩衝材１，２０の嵌合凹所７，２８の形状を変更することにより、角柱状等、様々な形状の物品の梱包に使用することもできる。また、梱包する物品の形状や他の緩衝材２０の形状によっては、嵌合凹所７を省略してもよい。
【００４３】
また、緩衝材１を天側に使用する場合について例示したが、上下反転させて、底側に使用するようにしてもよく、横倒し状態で使用するようにしてもよい。
【符号の説明】
【００４４】
１  緩衝材
２  基板
３  起立板
４  挟持脚
５  内脚板
６  外脚板
７  嵌合凹所
７ａ  係合凹部
８  係止片
８ａ  折目線
９  係止穴
１０  谷折線
１１  山折線
１２  谷折線
２０  緩衝材
２１  底板
２２，２３，２４  中支持板
２５，２７  外支持板
２６  連結板
２８  嵌合凹所
２８ａ  差込凹部
２９  係止片
２９ａ  折目線
３０  係止穴
３１，３２，３４  山折線
３３  谷折線
Ｐ  柱状物品
【図１】
2016078929.tif 000003
【図２】
2016078929.tif 000004
【図３】
2016078929.tif 000005
【図４】
2016078929.tif 000006
【図５】
2016078929.tif 000007
【図６】
2016078929.tif 000008
【図７】
2016078929.tif 000009
【図８】
2016078929.tif 000010
【図９】
2016078929.tif 000011